(57)【特許請求の範囲】
【請求項１】
一の表示パネルに複数の表示素子が設けられ、前記複数の表示素子は、前記表示パネルの一面側に表示する第１表示素子と、前記表示パネルの他面側に表示する第２表示素子とを少なくとも含み、
前記第１表示素子は、前記一面側から入射した光を反射する反射層を備えた反射型液晶表示素子または前記一面側から入射した光を反射する多孔性反射層を備えた半透過反射型液晶表示素子であり、前記第２表示素子は、前記一面側から入射した光を透過する透過型液晶表示素子または前記一面側から入射した光を透過する複数の開口部を有する多孔性反射層を備えた半透過反射型液晶表示素子であり、
前記第１、２表示素子へ一面側から光を入射させる照明手段が備えられ、
前記照明手段は、少なくとも前記第１表示素子に対向配置させて、表示パネルの一面側に備えられ、導光板および光源からなり、前記導光板には、前記光源からの光を内部に導入するために端面に設けられた入射面と、内部に導入した前記光を前記表示パネルに出射させる出射面とが設けられ、
前記第１表示素子と前記第２表示素子の間に遮光層が備えられていることを特徴とする表示装置。
【請求項２】
請求項１に記載の表示装置を具備してなることを特徴とする携帯型情報端末機器。
【請求項３】
筐体の一面側に前記第１表示素子に対応する表示窓が設けられ、前記筐体の他面側に前記第２表示素子に対応する別の表示窓が設けられていることを特徴とする請求項２に記載の携帯型情報端末機器。
【発明の詳細な説明】
【０００１】
【発明の属する技術分野】
本発明は、表示装置及び携帯型情報端末機器に関するものである。
【０００２】
【従来の技術】
近年、携帯電話機やＰＤＡ、あるいは携帯電話機能を有しかつより多くのメッセージを表示可能な携帯端末等の携帯型情報端末機器が広く普及している。これらの機器では、低消費電力化を図るべく、周囲光を利用した反射型液晶表示装置や、明るいところでは反射型としながらも暗所ではバックライト、フロントライト等の照明を用いて表示する半透過反射型液晶表示装置が多く採用されている。
【０００３】
また、携帯型情報端末機器のなかでも携帯電話機は、通常、送信、受信情報等を表示する主表示部が筐体の一面上に設けられているが、最近では前記の筐体の反対側の面に補助表示部を設けたものが市販されている。
図７にはこの種の携帯電話の外観模式図を示す。図７に示す携帯電話３０１は、上部筐体３０１ａと下部筐体３０１ｂとがヒンジ３０１ｃによって展開自在に連結されており、上部筐体３０１ａの操作面３０１ｄ側に主表示部３０１ｅが設けられ、外装面側３０１ｇには補助表示部３０１ｈが設けられている。また下部筐体３０２ｂの操作面３０１ｊには、ダイヤル操作等を行うための入力キーボード３０１ｋが設けられている。
この携帯電話機３０１によれば、ヒンジ３０１ｃにより各筐体３０１ａ、３０１ｂを収納状態に折り曲げた場合でも、補助表示部３０１ｈが上部筐体３０１ａの外装側に位置するため、各筐体３０１ａ、３０１ｂを展開させることなく携帯電話機３０１の各種情報を確認できるようになっている。
【０００４】
【発明が解決しようとする課題】
しかし、従来の携帯電話機３０１では、主表示部３０１ｅ及び補助表示部３０１ｈを構成する表示装置がそれぞれ別個に備えられ、更に各表示装置を駆動するための駆動回路も別個に備えられているため、部品点数が多くなり、内部構造が複雑になるという問題があった。また、小型化が図れないという問題もあった。
【０００５】
特に、主表示部をカラー表示させる場合は、表示の明度確保のためにフロントライト等による照明が不可欠であり、また補助表示部についてもモノクロ表示とカラー表示とに関わらず何らかの照明を設けることが望ましく、このため部品点数が更に増加するといった問題があった。
【０００６】
本発明は、上記事情に鑑みてなされたものであって、主表示部と補助表示部を具備し、かつ、部品点数が少なく、構造も簡素化され、小型化が可能な表示装置及びこのような表示装置を備えた携帯型情報端末機器を提供することを目的とする。
【０００７】
【課題を解決するための手段】
上記の目的を達成するために、本発明は以下の構成を採用した。
【０００８】
本発明の表示装置は、一の表示パネルに複数の表示素子が設けられ、前記複数の表示素子は、前記表示パネルの一面側に表示する第１表示素子と、前記表示パネルの他面側に表示する第２表示素子とを少なくとも含み、前記第１表示素子は、前記一面側から入射した光を反射する反射層を備えた反射型液晶表示素子または前記一面側から入射した光を反射する多孔性反射層を備えた半透過反射型液晶表示素子であり、前記第２表示素子は、前記一面側から入射した光を透過する透過型液晶表示素子または前記一面側から入射した光を透過する複数の開口部を有する多孔性反射層を備えた半透過反射型液晶表示素子であり、前記第１、２表示素子へ一面側から光を入射させる照明手段が備えられ、前記照明手段は、少なくとも前記第１表示素子に対向配置させて、表示パネルの一面側に備えられ、導光板および光源からなり、前記導光板には、前記光源からの光を内部に導入するために端面に設けられた入射面と、内部に導入した前記光を前記表示パネルに出射させる出射面とが設けられ、前記第１表示素子と前記第２表示素子の間に遮光層が備えられていることを特徴とする。
係る表示装置によれば、一の表示パネルに複数の表示素子が設けられており、表示装置を構成する部品点数を少なくすることができる。これにより、表示装置の構造を簡素化するとともに、小型化することができる。
また、照明手段により表示パネルを照明することができるので、各表示素子の輝度を向上できる。
更に、第１表示素子に少なくとも対向する導光板が備えられているので、照明手段を第１表示素子のフロントライトとして用いることができ、第１表示素子の輝度を向上できる。
更にまた、導光板を第２表示素子にも対向配置させた場合は、照明手段を第２表示素子のバックライトとして用いることができ、第２表示素子の輝度も向上できる。
また、第１表示素子には、前記一面側からの入射光を反射する反射層または多孔性反射層が備えられているので、第１表示素子の輝度を向上できる。
尚、表示装置を明所で使用する場合には、外部光を前記一面側から入射させることで第１表示素子の輝度を向上でき、表示装置を暗所で使用する場合には、照明手段からの照明光を前記一面側から入射させることで第１表示素子の輝度を向上できる。
更に、前記第２表示素子が透過型液晶表示素子なので、照明手段からの照明光を前記一面側から透過させることができ、前記第２表示素子の輝度を向上できる。
【００１８】
また本発明の表示装置は、先に記載の表示装置であり、前記第１表示素子と前記第２表示素子の間に遮光層が備えられていることを特徴とする。
係る表示装置によれば、遮光層によって第１、第２表示素子相互の光漏れを防ぐことができ、これにより色にじみが少なくなって鮮明な表示を得ることができる。
【００１９】
次に本発明の携帯型情報端末機器は、先のいずれかに記載の表示装置を具備してなることを特徴とする。
係る携帯型情報端末機器によれば、上記のいずれかに記載の表示装置を備えているので、表示装置に係る部品点数を減らして内部構造を簡素化することができ、更に携帯型情報端末機器の小型化を図ることができる。
【００２０】
また、本発明の携帯型情報端末機器は、先に記載の携帯型情報端末機器であり、筐体の一面側に前記第１表示素子に対応する表示窓が設けられ、前記筐体の他面側に前記第２表示素子に対応する別の表示窓が設けられていることを特徴とする。
係る携帯型情報端末機器によれば、筐体に各表示素子に対応する表示窓がそれぞれ設けられているので、筐体の一方の表示窓が隠れていた場合でも、他方の表示窓を視認できる場合があるので、携帯型情報端末機器の各種情報を容易に把握することができる。
【００２２】
【発明の実施の形態】
以下、本発明の実施の形態を図面を参照して説明するが、本発明は以下の実施の形態に限定されるものではない。
【００２３】
（第１の実施形態）
図１は本発明の第１の実施形態である携帯型情報端末機器の一例である携帯電話機の要部の断面図であり、図２は、図１に示す携帯電話機に内蔵された表示装置の斜視図であり、図３は図２のＡ−Ａ線に沿う断面模式図である。
図１に示す携帯電話機１は、上部筐体１ａと下部筐体１ｂとがヒンジ１ｃによって展開自在に連結されており、上部筐体１ａの操作面側１ｄ（一面側）に主表示窓１ｅ（表示窓）が設けられ、外装面側１ｇ（他面側）には補助表示窓１ｈが設けられている。主表示窓１ｅ及び補助表示窓１ｈにはそれぞれ、透明の保護カバー１ｆ、１ｉが備えられている。
上部筐体１ａの内部には本発明に係る表示装置２が内蔵されている。図１〜図３に示すように、この表示装置１は、液晶表示パネル２０（表示パネル）と、この液晶表示パネル２０の一面側１ｄに配置されて液晶表示パネル２０を照明するためのフロントライト１０（照明手段）と回路基板３０とから概略構成されている。
【００２４】
図２及び図３に示すように、フロントライト１０は透明な導光板１２と、棒状の光源１３とから構成されており、本実施形態において光源１３は、導光板１２に光を導入するために導光板１２の一側の側端面１２ａ側に配設されている。
導光板１２は、液晶表示パネル２０の一面側１ｄに配置されて光源１３から出射された光を液晶表示パネル２０に照射するものであり、平板状の透明なアクリル樹脂などの透明体から構成されている。本実施形態では図２及び図３に示すように、導光板１２の側端面１２ａ側（図３では導光板１２の板面方向を左右方向とすると左側端面側）に光源１３が配設されており、この側端面１２ａを介して光源１３から出射された照明光が導光板１２の内部に導入されるようになっている。この導光板１２の下面（液晶表示パネル２０側の底面）は、液晶表示パネル２０を照明する光が出射される出射面１２ｂとされており、この出射面１２ｂと反対側の上面（導光板１２の外表面）は、導光板１２の内部を伝搬する照明光の方向を変えるための反射面１２ｃとされている。また、この形態の導光板１２において側端面１２ａ側（図３の左側）と反対側の端面（右側端面）が側端面１２ｄとされている。
【００２５】
導光板１２を構成する材料としてはアクリル系樹脂のほか、ポリカーボネート系樹脂、エポキシ樹脂などの透明な樹脂材料や、ガラスなどを用いることができる。また、具体的な例を挙げるならば、特に限定されるものではないが、アートン（商品名：ＪＳＲ社製）や、ゼオノア（商品名：日本ゼオン社製）などを好適なものとして挙げることができる。
【００２６】
この導光板１２の出射面１２ｂは、液晶表示パネル２０と対向して配置されて液晶表示パネル２０を照明するための光が出射される面であり、例えば表面粗さ（Ｒａ）が１０ｎｍ以下程度の平滑な面とされている。一方、導光板１２の上面側、即ち反射面１２ｃ側には、導光板１２の内部を伝搬する光を反射させて伝搬方向を変えるために、くさび状の溝１４が、所定のピッチでストライプ状に複数形成されている。
これらの溝１４は、出射面１２ｂに対して傾斜して形成された緩斜面部１４ａと、この緩斜面部１４ａに連続して形成され、緩斜面部１４ａよりも急な傾斜角度で形成された急斜面部１４ｂとからなり、それぞれの溝１４の形成方向は、導光板１２の側端面１２ａに平行となるように揃えられている。各溝１４のピッチは１４０μｍ〜２５０μｍ程度とされている。
【００２７】
光源１３は、本実施形態では図２に示すように、アクリル系樹脂やポリカーボート系樹脂などからなる四角柱状の導光部１３ａと、この導光部１３ａの長手方向両端に配設されたＬＥＤ（白色ＬＥＤ）発光素子１３ｂ，１３ｂとから構成されている。
前記導光部１３ａの側面のうち、導光板１２と反対側の面には、図示されていないが、凹凸溝が形成されたプリズム面が形成されており、発光素子１３ｂ，１３ｂから導光部１３ａ内に導入された光を先のプリズム面で反射させて、導光板１２側へその伝搬方向を変え、導光板１２の側端面１２ａに発光素子１３ｂ，１３ｂからの光を照射できるようになっている。
【００２８】
尚、光源１３としては、本実施形態ではＬＥＤからなる発光素子１３ｂを備えたものを用いた構成としたが、この発光素子は冷陰極管や有機ＥＬ素子等を用いたものであってもよく、導光板１２の側端面１２ａに光を均一に照射することができるものであればいずれのものでも好適に用いることができる。
【００２９】
液晶表示パネル２０には、図３に示すように１つのパネルからなる２つの表示素子２ａ、２ｂが設けられている。これらの表示素子のうち、第１表示素子２ａは、液晶表示パネル２０の一面側１ｄに表示面２ｃを有するものであり、第２表示素子２ｂは、液晶表示パネル２０の他面側１ｇに表示面２ｄを有するものである。
また図１に示すように、第１表示素子２ａの表示面２ｃは上部筐体１ａの一面側１ｄに設けられた表示窓１ｅに対応する位置に設けられ、第２表示素子２ｂの表示面２ｄは上部筐体１ａの他面側１ｇに設けられた表示窓１ｈに対応する位置に設けられている。
【００３０】
図２及び図３に示すようにこの液晶表示パネル２０は、液晶層２３を挟持して対向するガラスなどからなる第１の基板（下側基板）２１と、第２の基板（上側基板）２２をシール材２４で接合一体化した構成である。第１の基板２１の液晶層２３側の面には、有機膜２８とこの有機膜２８上に形成されて入射した光を反射させるための金属等の反射層２９とからなる反射体２５と、表示回路２６が順に積層されている。反射層２９は、有機膜２８の一部を除いて形成されており、この反射層２９の形成領域が第１表示素子２ａの領域に対応し、反射層２９の非形成領域が第２表示素子２ｂの領域に対応している。
また第２の基板２２の液晶層２３側の面には、表示回路２７が形成されている。
このように、液晶表示パネル２０のうち、第１表示素子２ａは、フロントライト１０から入射した照明光や、導光板１２を透過して入射した外部光を表示面２ｃ側に反射させる反射層２９を備えた反射型液晶表示素子とされている。また、第２表示素子２ｂは、フロントライト１０から入射した照明光を他面側１ｇに透過する透過型液晶表示素子とされている。
【００３１】
表示回路２６および２７は、図示されていないが液晶層２３を駆動するための透明導電膜等からなる電極層や液晶層２３の配向を制御するための配向膜等を含むものである。また、場合によってはカラー表示を行うためのカラーフィルタなどを有する構成であってもよい。また、表示回路には、液晶パネルが単純マトリクス構造の場合はストライプ状の複数の電極と配線類が形成され、液晶パネルがアクティブマトリクス構造の場合は薄膜トランジスタ等の３端子型スイッチング素子あるいは薄膜ダイオード等の２端子型スイッチング素子と、画素電極、配線類等の構成要素が形成されるが、いずれの構造を用いても良いのは勿論である。
【００３２】
反射体２５は、例えば、表面に凹凸形状が形成されたアクリル系樹脂等からなる有機膜２８上に、アルミニウムや銀などの高反射率の金属膜からなる反射膜２９をスパッタ法などにより形成して構成されている。あるいは、この反射膜２９と有機膜２８を覆うようにシリコーン系樹脂などからなる平坦化膜を形成してもよい。
この反射体２５はカラーフィルタを含む構成としても良く、その場合には、前記反射膜２９の直上にカラーフィルタを形成することが好ましい。このような構成とするならば、光の反射面にカラーフィルタを配置することができるので、色ずれや視差を低減して高品位のカラー表示が可能である。
【００３３】
また図１に示すように、回路基板３０には駆動回路３０ａが備えられている。この駆動回路３０ａは液晶表示パネル２０の表示回路２６，２７に接続されており、第１，第２表示素子２ａ、２ｂを同時に駆動する。このように、回路基板３０を各表示素子２ａ、２ｂ毎に設ける必要がなく１つで済むので、表示装置２の小型化を図ることができる。
【００３４】
次に本実施形態の表示装置２の照明方法について図３を参照して以下に説明する。
表示装置２を暗所で使用する場合には、図３に示すように光源１３から照明光を照射する。照射光の一部１６ａは入射面１２ａから導光板１２内部に入射され、導光板１２の内面で反射されながら導光板１２の内部を伝搬する。そして、伝搬の途中で反射面１２ｃにより液晶表示パネル２０側に反射され、出射面１２ｂから第１表示素子２ａに向けて出射される。第１表示素子２ａには反射層２９が設けられており、導光板１２から出射した照明光はこの反射層２９で反射されて表示面１ｃ側にいる観察者（使用者）Ｕ1まで到達する。
【００３５】
また、図３に示すように導光板１２の内部を伝搬する照明光の別の一部１６ｂは、先程と同様に光源１３から照射されて導光板１２の内面で反射されながら導光板１２の内部を伝搬し、伝搬の途中で反射面１２ｃにより液晶表示パネル２０側に反射され、出射面１２ｂから第２表示素子２ｂに向けて出射される。第２表示素子２ａには反射層２９が設けられていないため、導光板１２から出射した照明光は液晶表示パネル２０を透過して表示面１ｇ側にいる観察者（使用者）Ｕ2まで到達する。
【００３６】
次に表示装置２を明所で使用する場合には、図３に示すように主表示窓１ｅから導光板１２を透過した外部光１６ｃが第１表示素子２ａに入射する。そして、第１表示素子２ａに設けられた反射層２９により外部光１６ｃが反射されて表示面１ｃ側にいる観察者（使用者）Ｕ1まで到達する。
【００３７】
このように、本実施形態の携帯電話機１（携帯型情報端末機器）によれば、表示装置２の液晶表示パネル２０に第１，第２表示素子２ａ、２ｂが設けられているので、２以上の表示素子を有するにもかかわらず、表示装置を構成する部品点数を少なくすることができる。これにより、表示装置の構造を簡素化するとともに、小型化することができる。
【００３８】
また、第１表示素子２ａに対向するフロントライト１０が備えられ、このフロントライト１０から第１表示素子２ａに照明光を照射できるので、第１表示素子２ａの輝度を向上できる。
またフロントライト１０から第２表示素子に照明光を照射するので、このフロントライトを第２表示素子のバックライトとして用いることができ、第２表示素子２ｂの輝度をも向上できる。
【００３９】
更に、第１表示素子２ａが主表示窓１ｅに対応する位置に設けられ、第２表示素子２ｂが補助表示窓１ｈに対応する位置に設けられているので、主表示窓１ｅが隠れていた場合でも、もう一方の補助表示窓１ｈを視認できる場合があるので、携帯電話機１の各種情報を容易に把握することができる。
【００４０】
（第２の実施形態）
図４は本発明の第２の実施形態である携帯型情報端末機器の一例である携帯電話機の要部の断面図であり、図５は、図４に示す携帯電話機に内蔵された表示装置の断面模式図である。
尚、図４及び図５に示す構成要素のうち、図１〜図３により説明した第１の実施形態の構成要素と同一の構成要素には同一の符号を付してその説明を省略する。
【００４１】
図４に示す携帯電話機１０１の上部筐体１ａの内部には、本発明に係る表示装置１０２が内蔵されている。図４及び図５に示すように、この表示装置１０２は、液晶表示パネル１２０（表示パネル）と、この液晶表示パネル１２０の一面側１ｄに配置されて液晶表示パネル１２０を照明するためのフロントライト１０（照明手段）と、液晶表示パネル１２０の一面側１ｄに配置されて液晶表示パネル１２０を照明するための別の光源１１０（照明手段）と、回路基板３０とから概略構成されている。
【００４２】
フロントライト１０は第１の実施形態と同様に、透明な導光板１２と、棒状の光源１３とから構成されている。
導光板１２は、液晶表示パネル１２０の一面側１ｄに配置されて光源１３から出射された照明光を液晶表示パネル１２０に照射するものであり、液晶表示パネル１２０の第１表示素子２ａに対向する位置のみに形成されている点を除いて、第１の実施形態の導光板１２と同じ構成のものである。
導光板１２の側端面１２ａ側には光源１３が配設され、この側端面１２ａを介して光源１３から照射された照明光が導光板１２の内部に導入されるようになっている。そして導光板１２の下面が出射面１２ｂとされており、この出射面１２ｂと反対側の上面は、導光板１２の内部を伝搬する光の方向を変えるための反射面１２ｃとされている。
出射面１２ｂは、第１表示素子２ａと対向配置されて第１表示素子２ａを照明する照明光が出射される面である。
【００４３】
また、液晶表示パネル１２０の一面側１ｄには、第２表示素子２ｂに対向配置された第２光源１１０（別の光源（照明手段））が備えられている。
この第２光源１１０は、フロントライト１０の光源１３と同様に、アクリル系樹脂やポリカーボート系樹脂などからなる四角柱状の導光部と、導光部の長手方向両端に配設されたＬＥＤ（白色ＬＥＤ）発光素子とから構成され、発光素子から導光部内に導入された照明光を第２表示素子２ｂ側へその伝搬方向を変え、第２表示素子２ｂに発光素子からの照明光を照射できるようになっている。
【００４４】
尚、第２光源１１０としては、本実施形態ではＬＥＤからなる発光素子の他に、冷陰極管や有機ＥＬ素子等を用いることができ、第２表示素子２ｂに光を均一に照射することができるものであればいずれのものでも好適に用いることができる。
【００４５】
次に図５に示す液晶表示パネル１２０には、第１の実施形態と同様に、第１，第２表示素子１０２ａ、１０２ｂがそれぞれ設けられている。
液晶表示パネル１２０の第１の基板２１の液晶層２３側の面には、有機膜２８とこの有機膜２８上に形成されて入射した光を反射させるための金属等の多孔性反射層１２９とからなる反射体２５と、表示回路２６が順に積層されている。多孔性反射層１２９は有機膜２８の全面に形成されており、多孔性反射層１２９の形成領域が第１、第２表示素子２ａ、２ｂの領域に対応している。また多孔性反射層１２９には多数の開口部１２９ａが設けられており、特に第２表示素子２ｂにおいて、第２光源からの照明光をこの開口部１２９ａを通じて透過できるようになっている。
【００４６】
このように、液晶表示パネル１２０を構成する第１表示素子１０２ａは、フロントライト１０から入射した光を表示面２ｃ側に反射させるための多孔性反射層１２９を備えた反射型液晶表示素子とされている。また、第２表示素子１０２ｂは、第２光源１１０からの照明光を他面側１ｇに透過させる開口部１２９ａを有するとともに、他面側１ｇから入射した外部光を反射する多孔性反射層１２９を備えた半透過反射型液晶表示素子とされている。
【００４７】
次に本実施形態の表示装置１０２の照明方法について図５を参照して以下に説明する。
表示装置１０２を暗所で使用する場合には、図５に示すように光源１３から照明光１１６ａを照射する。照明光１１６ａは入射面１２ａから導光板１２内部に入射され、導光板１２の内面で反射されながら導光板１２の内部を伝搬する。そして、伝搬の途中で反射面１２ｃにより液晶表示パネル１２０側に反射され、出射面１２ｂから第１表示素子１０２ａに向けて出射される。第１表示素子１０２ａには多孔性反射層１２９が設けられており、導光板１２から出射した照明光１１６ａはこの多孔性反射層１２９で反射されて表示面１ｃ側の観察者（使用者）Ｕ1まで到達する。
【００４８】
また、図５に示すように第２光源１１０から出射された照明光１１６ｂは、液晶表示パネル１２０の第２表示素子１０２ｂに向けて出射される。第２表示素子１０２ｂにも多孔性反射層１２９が設けられているが、照明光１１６ｂはこの多孔性反射層１２９の開口部１２９ａを通過して表示面１ｇ側の観察者（使用者）Ｕ2まで到達する。
【００４９】
次に表示装置１０２を明所で使用する場合には、図５に示すように主表示窓１ｅから導光板１２を透過した外部光１１６ｃが第１表示素子１０２ａに入射する。そして、第１表示素子１０２ａに設けられた多孔性反射層１２９により外部光１１６ｃが反射されて表示面１ｃ側にいる観察者（使用者）Ｕ1まで到達する。
【００５０】
このように、本実施形態の表示装置１０２によれば、第１表示素子２ａに対向する導光板１２が備えられているので、この導光板１２を第１表示素子２ａのフロントライトとして用いることができ、第１表示素子２ａの輝度を向上できる。また上記の表示装置１０２によれば、第２表示素子２ｂに照明光を出射する第２光源１１０が備えられているので、この第２光源１１０を第２表示素子２ｂのバックライトとして用いることができ、第２表示素子２ｂの輝度を向上できる。更に、第２表示素子２ｂには、他面側１ｇからの入射光を反射し、一面側１ｄからの入射光を透過する多孔性反射層１２９を備えているので、第２表示素子２ｂの表示面２ｄの明度を向上できる。
【００５１】
尚、本実施形態においては、液晶表示パネル１０２に代えて、第１の実施形態の液晶表示パネル２を用いることができる。即ち、第１の実施形態の液晶表示パネル２は、反射型液晶表示素子である第１表示素子２ａと、透過型液晶表示素子である第２表示素子２ｂを具備しており、第１表示素子２ａについては、本実施形態のフロントライト１０からの照明光を反射層２９により反射させることで輝度を向上でき、第２表示素子２ｂについては本実施形態のフロントライト１０からの照明光を透過させることで輝度を向上できる。
【００５２】
更に本実施形態においては、第２光源１１０を液晶表示パネル１２０の側端部に配置することにより、サイドエッジライトとして用いても良い。
【００５３】
（第３の実施形態）
図６は本発明の第３の実施形態である携帯型情報端末機器の一例である携帯電話機の要部の断面図であり、図７は、図６に示す携帯電話機に内蔵された表示装置の断面模式図である。
尚、図６及び図７に示す構成要素のうち、図１〜図３により説明した第１の実施形態の構成要素と同一の構成要素には同一の符号を付してその説明を省略する。
【００５４】
図６に示す携帯電話機２０１の上部筐体１ａの内部には、本発明に係る表示装置２０２が内蔵されている。図６及び図７に示すように、この表示装置２０２は、液晶表示パネル２２０（表示パネル）と、この液晶表示パネル２２０の一面側１ｄに配置されて液晶表示パネル２２０を照明するためのフロントライト１０（照明手段）と、液晶表示パネル２２０に隣接する上部筐体１ａの一面側１ｄに配設された半透光部２１０（採光手段）とから概略構成されている。
【００５５】
フロントライト１０は第２の実施形態のフロントライトとほぼ同じ構成のもので、導光板１２と棒状の光源１３とから構成されている。
また、半透光部２１０は、上部筐体１ａの一部を半透光性の材料で置き換えたものであり、乳白不透明のアクリル樹脂や、透明樹脂、半透明樹脂等により形成されている。半透光部２１０は、図６に示すように少なくとも第２表示素子２０２ｂと対向する位置に設けることが好ましい。
半透光部２１０を設けることで、外部光をこの半透光部２１０から第２表示素子２０２ｂに照射することが可能になる。
【００５６】
図７に示す液晶表示パネル２２０には、第１の実施形態と同様に、第１，第２表示素子２０２ａ、２０２ｂがそれぞれ設けられている。
液晶表示パネル２２０の第１の基板２１の液晶層２３側の面には、有機膜２８及び多孔性反射層１２９からなる反射体２５と、表示回路２６が順に積層されている。多孔性反射層１２９は有機膜２８の全面に形成されており、多孔性反射層１２９の形成領域が第１、第２表示素子２０２ａ、２０２ｂの領域に対応している。また多孔性反射層１２９には多数の開口部１２９ａが設けられており、特に第２表示素子２０２ｂにおいて、半透光部２１０から入射した外部光をこの開口部１２９ａを通じて透過できるようになっている。
【００５７】
このように、液晶表示パネル２２０を構成する第１表示素子２０２ａは、フロントライト１０から入射した光を表示面２ｃ側に反射させるための多孔性反射層１２９を備えた反射型液晶表示素子とされている。また、第２表示素子２０２ｂは、半透光部２１０から入射した外部光を他面側１ｇに透過させる開口部１２９ａを有する多孔性反射層１２９を備えた半透過反射型液晶表示素子とされている。
【００５８】
また、第１、第２表示素子２０２ａ、２０２ｂの境界付近の表示回路２６には、遮光層２２１が形成されている。この遮光層２２１は、樹脂ブラック、Ｃｒ等の黒色金属膜等からなるブラックマトリックスまたはブラックストライプから構成されている。遮光層２２１を設けることで、第１、第２表示素子２０２ａ、２０２ｂ間での光の漏れを防ぐことができ、これにより色にじみが少なくなって鮮明な表示が可能になる。
【００５９】
本実施形態の表示装置２０２の照明方法について図７を参照して以下に説明する。
表示装置２０２を暗所で使用する場合には、図７に示すように光源１３から照明光２１６ａを照射する。照射光２１６ａは入射面１２ａから導光板１２内部に入射され、導光板１２の内面で反射されながら導光板１２の内部を伝搬する。そして、伝搬の途中で反射面１２ｃにより液晶表示パネル２２０側に反射され、出射面１２ｂから第１表示素子２０２ａに向けて出射される。第１表示素子２０２ａには多孔性反射層１２９が設けられており、導光板１２から出射した照明光２１６ａはこの多孔性反射層１２９で反射されて表示面１ｃ側の観察者（使用者）Ｕ1まで到達する。
【００６０】
次に表示装置２０２を明所で使用する場合には、図７に示すように主表示窓１ｅから導光板１２を透過した外部光２１６ｃが第１表示素子２０２ａに入射する。そして、第１表示素子２０２ａに設けられた多孔性反射層１２９により外部光２１６ｃが反射されて表示面１ｃ側にいる観察者（使用者）Ｕ1まで到達する。
また、図６及び図７に示すように、半透光部２２０を透過した外部光２１６ｂは、液晶表示パネル２２０の第２表示素子２０２ｂに照射される。第２表示素子２０２ｂにも多孔性反射層１２９が設けられているが、外部光２１６ｂはこの多孔性反射層１２９の開口部１２９ａを通過して表示面１ｇ側の観察者（使用者）Ｕ2まで到達する。
【００６１】
本実施形態の表示装置２０２によれば、第１表示素子２０２ａに対向する導光板１２が備えられているので、この導光板１２を第１表示素子２０２ａのフロントライトとして用いることができ、第１表示素子２０２ａの輝度を向上できる。
また上記の表示装置２０２によれば、半透光部２２０が設けられているので、外部光を第２表示素子２０２ｂのバックライトとして用いることができ、第２表示素子２０２ｂの輝度を向上できる。
【００６２】
尚、本実施形態においては、液晶表示パネル２０２に代えて、第１の実施形態の液晶表示パネル２を用いることができる。即ち、第１の実施形態の液晶表示パネル２は、反射型液晶表示素子である第１表示素子２ａと、透過型液晶表示素子である第２表示素子２ｂを具備しており、第１表示素子２ａについては、本実施形態のフロントライト１０からの照明光を反射層２９により反射させることで輝度を向上でき、第２表示素子２ｂについては本実施形態の半透光部２１０からの外部光を透過させることで輝度を向上できる。
【００６３】
なお、本発明の技術範囲は上記実施の形態に限定されるものではなく、本発明の趣旨を逸脱しない範囲において種々の変更を加えることが可能である。例えば本発明の各実施形態では表示素子として液晶表示素子を用いたが、その他の表示素子を用いることが可能であり、例えば有機エレクトロルミネッセンス表示素子等の自発光型の表示素子を用いることができる。この場合、照明手段を備えなくても良い。
また、第２，第３実施形態の液晶表示パネル１２０には多孔性反射層を用いているが、この多孔性反射層に代えて半透過性反射層を用いても良い。
また、第３の実施形態で用いた遮光層２２１を、第１、第２実施形態の液晶表示パネルに用いても良い。
【００６４】
更に、第１の実施形態の液晶表示パネル２に代えて、第２、第３の実施形態の液晶表示パネル１０２，２０２を用いても良い。即ち、第２、３の実施形態の液晶表示パネル２は、半透過反射型液晶表示素子である第１、２表示素子１０２ａ、２０２ａ、１０２ｂ、２０２ｂをそれぞれ具備しており、第１表示素子１０２ａ、２０２ａについては、第１の実施形態のフロントライト１０からの照明光を多孔性反射層１２９により反射させることで輝度を向上でき、第２表示素子１０２ｂ、２０２ｂについては第１の実施形態のフロントライト１０からの照明光を多孔性反射層１２９の開口部１２９ａで透過させることで輝度を向上できる。
【００６５】
【発明の効果】
以上、詳細に説明したように、本発明の表示装置によれば、一の表示パネルの一面と他面の各々に表示面を有する表示素子が各々設けられているので、２以上の表示素子を有するにもかかわらず、表示装置を構成する部品点数を少なくすることができる。これにより、表示装置の構造を簡素化するとともに、小型化することができる。
【００６６】
また、本発明の携帯型情報端末機器によれば、上記の表示装置を備えているので、表示装置に係る部品点数を減らして内部構造を簡素化することができ、更に携帯型情報端末機器の小型化を図ることができる。
【図面の簡単な説明】
【図１】   本発明の第１の実施形態である携帯電話機の要部の断面図。
【図２】   図１の携帯電話機に備えられた表示装置の斜視図。
【図３】   図２のＡ-Ａ線に沿う断面図。
【図４】   本発明の第２の実施形態である携帯電話機の要部の断面図。
【図５】   図４の携帯電話機に備えられた表示装置の断面図。
【図６】   本発明の第３の実施形態である携帯電話機の要部の断面図。
【図７】   図６の携帯電話機に備えられた表示装置の断面図。
【図８】   従来の携帯電話機を操作面側から見た斜視図。
【図９】   従来の携帯電話機を外装面側から見た斜視図。
【符号の説明】
１、１０１、２０１  携帯型情報端末機器
１ｄ  一面側
１ｇ  他面側
１ｅ  主表示窓（表示窓）
１ｈ  補助表示窓（別の表示窓）
２、１０２、２０２  表示装置
２ａ  第１表示素子（表示素子）
２ｂ  第２表示素子（表示素子）
２ｃ、２ｄ  表示面
１０  フロントライト（照明手段）
１２  導光板（照明手段）
１２ａ  入射面
１２ｂ  出射面
１３  光源（照明手段）
２０、１２０，２２０  液晶表示パネル（表示パネル）
２９  反射層
１１０  第２光源（別の光源）
１２９  多孔性反射層
１２９ａ  開口部
２２０  半透光部（採光手段）
２２１  遮光層
【図１】
0003980889.tif 000002
【図２】
0003980889.tif 000003
【図３】
0003980889.tif 000004
【図４】
0003980889.tif 000005
【図５】
0003980889.tif 000006
【図６】
0003980889.tif 000007
【図７】
0003980889.tif 000008
【図８】
0003980889.tif 000009
【図９】
0003980889.tif 000010